(57)【要約】      （修正有）【課題】タッチパネルと表示パネルとの間の隙間による悪い視覚効果を改善し、タッチパネルと表示パネルとの間の気泡発生を減少させる機能性フィルム及びそれを用いたパネル組立品を提供する。【解決手段】タッチパネル３１と、第一表面４１と第一表面４１に対向する第二表面４２とを有する飛散防止フィルム３３であって、第一表面４１がタッチパネル３１の下方に取り付けられる飛散防止フィルム３３と、第三表面４３を有する表示パネル３２と、第二表面４２又は第三表面４３に配置される感圧接着剤３４であって、表示パネル３２が感圧接着剤３４を介して第二表面４２に取り付けられる感圧接着剤３４と、を含む。タッチパネル３１、飛散防止フィルム３３、表示パネル３２及び感圧接着剤３４は、タッチユニットを形成する。【選択図】図３Ａ
0003197676.tif 000002
【実用新案登録請求の範囲】
【請求項１】
タッチパネルと、
第一表面と前記第一表面に対向する第二表面とを有する飛散防止フィルムであって、前記第一表面が前記タッチパネルの下方に取り付けられる前記飛散防止フィルムと、
第三表面を有する表示パネルと、
前記第二表面又は前記第三表面に配置される感圧接着剤であって、前記表示パネルが感圧接着剤を介して前記第二表面に取り付けられる前記感圧接着剤と、を含むことを特徴とするパネル組立品。
【請求項２】
前記感圧接着剤は、ポリウレタン、シリコーン、アクリル及びそれらの組み合わせからなる群から選択される材料を有することを特徴とする請求項１に記載のパネル組立品。
【請求項３】
前記パネル組立品は、前記第一表面に配置される光学透明接着剤（ＯＣＡ）を更に含むことを特徴とする請求項１に記載のパネル組立品。
【請求項４】
前記飛散防止フィルムは、
第四表面を有するプラスチック基板と、
前記第四表面に配置される光学透明接着剤（ＯＣＡ）と、を含むことを特徴とする請求項１に記載のパネル組立品。
【請求項５】
タッチパネルと、
表示パネルと、
前記タッチパネル及び前記表示パネルに取り付けられる第一接着剤層と、
第一表面及び第二表面を有する機能性フィルムであって、前記第一表面及び前記第二表面は、それぞれ前記タッチパネル及び前記表示パネルに取り付けられる前記機能性フィルムと、を含むことを特徴とするパネル組立品。
【請求項６】
前記第一表面は、第一接着剤層を介して前記タッチパネルに取り付けられることを特徴とする請求項５に記載のパネル組立品。
【請求項７】
前記第一接着剤層は、感圧接着剤、光学透明接着剤、光学透明樹脂及びそれらの組み合わせからなる群から選択されることを特徴とする請求項５に記載のパネル組立品。
【請求項８】
前記機能性フィルムは、飛散防止フィルムであることを特徴とする請求項５〜７のいずれか１項に記載のパネル組立品。
【請求項９】
前記第二表面は、第二接着剤層を介して前記表示パネルに取り付けられることを特徴とする請求項５〜８のいずれか１項に記載のパネル組立品。
【請求項１０】
第一パネルと、
第二パネルと、
前記第一パネル及び前記第二パネルに取り付けられる第一感圧接着剤と、を含むことを特徴とするパネル組立品。
【請求項１１】
前記第一パネルはタッチパネルである時、前記第二パネルは表示パネル又は保護パネルであることを特徴とする請求項１０に記載のパネル組立品。
【請求項１２】
第三パネルと、
前記第二パネル及び前記第三パネルに取り付けられる第二感圧接着剤と、を更に含み、
前記第一パネルは、表示パネルであり、前記第二パネルは、タッチパネルであり、前記第三パネルは、保護パネルであることを特徴とする請求項１０に記載のパネル組立品。
【請求項１３】
第一表面と前記第一表面に対向する第二表面とを有する基板と、
第一接着強度を有し、前記第一表面に取り付けられる第一感圧接着剤と、を含むことを特徴とする機能性フィルム。
【請求項１４】
前記機能性フィルムは、第二接着強度を有し、前記第二表面に取り付けられる第二感圧接着剤を更に含み、
前記第一接着強度と前記第二接着強度が異なることを特徴とする請求項１３に記載の機能性フィルム。
【請求項１５】
前記基板は、ポリエステル（ＰＥＴ）、トリアセチルセルロース（ＴＡＣ）、環状オレフィンポリマー（ＣＯＰ）及びそれらの組み合わせからなる群から選択される一つの材料を有することを特徴とする請求項１３に記載の機能性フィルム。
【考案の詳細な説明】
【技術分野】
【０００１】
（関連出願の相互参照）
本出願は、２０１４年３月１３日に出願された第１０３２０４３２１号の台湾出願に基づく利益を主張し、その内容は参考として本明細書に取り入れるものとする。
【０００２】
本考案は、パネルに関し、特に、タッチパネルに関する。
【背景技術】
【０００３】
図１は、従来のタッチパネルを示す断面図である。図１に示すように、ＬＣＤパネルなどの表示パネルにおけるタッチパネルの取り付け（例えば付着、貼合等）について、従来技術のほとんどは、パネル組立品を形成するために、タッチパネル１１と表示パネル１２との間にシール構造１３を利用することで取り付けを行う。このような条件において、タッチパネル１１と表示パネル１２との間に、隙間と呼ばれる空気層１４が存在する。壊れたタッチパネル１１によりユーザーの負傷を防ぐために、飛散防止フィルム１５は、通常、タッチパネル１１の下側に取り付けられている。シール構造１３の利用によって表示パネル１２とタッチパネル１１を取り付けることは、何年も広く使われ、関連材料及び製造プロセスも成熟している。しかし、光は、タッチパネル１１を介して表示パネル１２に伝達し、タッチパネル１１と表示パネル１２との間に存在する空気層１４を透過する必要があるため、光強度の損失が増加していることになる。換言すれば、タッチパネル１１および表示パネル１２の全体的な光伝達が低減され、その結果、空気層により、パネルの視覚効果に悪影響を与えられる。
【０００４】
図２は、従来の他のタッチパネルを示す断面図である。図２に示すように、ＬＣＤパネルなどの表示パネルにおけるタッチパネルの他の取り付けについて、光学透明接着剤（Optical Clear Adhesive；ＯＣＡ）１６又は光学透明樹脂（Optical Clear Resin）を利用して、直接タッチパネル１１と表示パネル１２との間の全表面に付着している。このようにしてなる構造は、タッチパネル１１と表示パネル１２との間に空気層に起因する欠陥を克服し、ユーザーに優れた視覚性能を提供する。このため、タッチパネル１１が破断された場合に、その破片がまだ表示パネルに付着しているため、ユーザーは負傷しない。しかし、製造プロセスの観点から見れば、タッチパネルは、表示パネルの全表面に取り付けられ、気泡がそれらのパネル間に存在し易くなり、外観不良が発生する可能性高いため、歩留まり率が高くなくて、大量生産に悪影響を与える。更に、より高い技術力を必要とするため、材料のロス及び再加工コストも増加している。
【０００５】
故に、本考案はこのような従来の課題を解決するため、実験と研究を重ねた結果を通じて、得られたものである。
【考案の概要】
【考案が解決しようとする課題】
【０００６】
本考案は、このような従来の課題を解決するために、パネル組立品を提案する。本考案のタッチパネル組立品は、タッチパネルと表示パネルとの間の隙間による悪い視覚効果を改善し、タッチパネルと表示パネルとの間の気泡発生を減少させる。更に、リワークを必要とする時にシンプルで効果的な再加工方法を提案する。
【課題を解決するための手段】
【０００７】
上述の目的を達成するために、本考案の一つの実施形態に係るパネル組立品は、タッチパネルと、第一表面と前記第一表面に対向する第二表面とを有する飛散防止フィルムであって、前記第一表面が前記タッチパネルの下方に取り付けられる前記飛散防止フィルムと、第三表面を有する表示パネルと、前記第二表面又は前記第三表面に配置される感圧接着剤であって、前記表示パネルが感圧接着剤を介して前記第二表面に取り付けられる前記感圧接着剤と、を含む。前記タッチパネル、前記飛散防止フィルム、表示パネル及び前記感圧接着剤は、タッチユニットを形成する。
【０００８】
上述の目的を達成するために、本考案の別の実施形態に係るパネル組立品は、タッチパネルと、表示パネルと、前記タッチパネル及び前記表示パネルに取り付けられる第一接着剤層と、第一表面及び第二表面を有する機能性フィルムであって、前記第一表面及び前記第二表面は、それぞれ前記タッチパネル及び前記表示パネルに取り付けられる前記機能性フィルムと、を含む。
【０００９】
上述の目的を達成するために、本考案のまた別の実施形態に係るネル組立品は、第一パネルと、第二パネルと、前記第一パネル及び前記第二パネルに取り付けられる第一感圧接着剤と、を含む。
【００１０】
上述の目的を達成するために、本考案のさらに別の実施形態に係る機能性フィルムは、第一表面と前記第一表面に対向する第二表面とを有する基板と、第一接着強度を有し、前記第一表面に取り付けられる第一感圧接着剤と、を含む。
【考案の効果】
【００１１】
本考案のタッチパネル組立品は、タッチパネルと表示パネルとの間の隙間による悪い視覚効果を改善し、タッチパネルと表示パネルとの間の気泡発生を減少させる。
【図面の簡単な説明】
【００１２】
【図１】従来のタッチパネルを示す断面図である。
【図２】従来の他のタッチパネルを示す断面図である。
【図３Ａ】本考案の一つの実施形態に係るパネル組立品を示す断面図である。
【図３Ｂ】本考案の一つの実施形態に係るパネル組立品を示す断面図である。
【図３Ｃ】本考案の一つの実施形態に係るパネル組立品を示す断面図である。
【図３Ｄ】本考案の一つの実施形態に係るパネル組立品を示す断面図である。
【図３Ｅ】本考案の一つの実施形態に係るパネル組立品を示す断面図である。
【図４】本考案の別の実施形態に係るパネル組立品を示す断面図である。
【図５】本考案のさらに別の実施形態に係るパネル組立品を示す断面図である。
【図６】本考案の一つの実施形態に係る機能性フィルムを示す断面図である。
【図７】本考案の別の実施形態に係る機能性フィルムを示す断面図である。
【図８】本考案のもう一つの実施形態に係るパネル組立品を示す断面図である。
【図９】本考案のさらにもう一つの実施形態に係るパネル組立品を示す断面図である。
【考案を実施するための形態】
【００１３】
以下のように、本考案を実施例に基づいて詳述するが、あくまでも例示であって、本考案の範囲はこれらの実施形態に限定されない。本考案の範囲は、実用新案登録請求の範囲に記載されており、さらに実用新案登録請求の範囲の記載と均等な意味及び範囲内での全ての変更を含んでいる。
【００１４】
本考案は、従来技術に勝る利点を有し、従来技術の欠点を克服する。図３Ａに示すように、本考案の一実施形態において、タッチパネル３１と表示パネル３２との間に飛散防止フィルム３３を使用する。飛散防止フィルム３３は、第一表面４１と第一表面４１に対向する第二表面４２とを有する。第一表面４１は、タッチパネル３１の下方に取り付けられる（例えば付着、貼合等を含む）。第二表面４２には、パネル取付工程中に気泡の発生を防止する優れた性能を有する表面接着剤（例えば感圧接着剤３４）が配置される。感圧接着剤３４は、ポリウレタン、シリコーン、アクリル及びそれらの組み合わせからなる群から選択される材料を有する。飛散防止フィルム３３は、感圧接着剤３４を介して表示パネル３２の第三表面４３に取り付けられる。したがって、本考案は、従来技術において乏しい視覚性能の問題を改善するために、空気層が存在せず、飛散防止機能を有するだけでなく、パネル間の表面全体に付着した歩留まりが向上し、欠陥のあるパネル組立品の再加工の難しさも改善できる。
【００１５】
このようにして得る視機能としては、本考案と従来技術の光伝達データに基づいて、改善の結果を表１で比較する。
【表１】
0003197676.tif 000003
【００１６】
表１に示す光伝達データから分かるように、タッチパネル３１に取り付けされていない表示パネル１１又は３２を用いて、光線透過率１００％の基準とする。本考案において、タッチパネル３１を表示パネル３２に取り付けると、光線透過率が９８.５％であって、伝達損失が１.５％である。従来技術において、タッチパネルと表示パネルとの間に空気層があるため、光線透過率が８６％であって、伝達損失が１４％である。
【００１７】
又、タッチパネル３１と表示パネル３２との付着不良の時、パネル組立品を再加工する必要がある。図３Ａと３Ｂに示すように、本考案の他の実施形態に係るパネル組立品の再加工においては、タッチパネル３１と表示パネル３２との間に飛散防止フィルム３３及び感圧接着剤３４を除去した後、タッチパネル３１に別の飛散防止フィルム３５及び感圧接着剤３６を再付着し、感圧接着剤３６によってタッチパネル３１を表示パネル３２に取り付ける。更に、前記除去工程は、感圧接着剤３４を表示パネル３２の第三表面４３から分離した後、飛散防止フィルム３３及び感圧接着剤３４を除去してタッチパネル３１を回収する。そうして、新しい飛散防止フィルム３５及び感圧接着剤３６を用いてタッチパネル３１に付着する。
【００１８】
図３Ｃは、本考案のもう一つの実施形態に係るパネル組立品を示す断面図である。図３Ｃに示すように、本考案は、他のパネル貼合構造を提案している。飛散防止フィルム３３がパネル組立品に必要とされない場合、タッチパネル３１と表示パネル３２との間に感圧接着剤３４を直接貼合してもよい。感圧接着剤３４は、光学透明接着剤（ＯＣＡ）又は光学透明樹脂（ＯＣＲ）等の従来の材料の代わりに、パネル取付用の材料として使用される。本考案は、感圧接着剤３４を用いることにより、上述したように、従来技術において乏しい視覚性能の問題を改善するだけでなく、パネル間の表面全体に付着した歩留まりも改善し、再加工の難しさを減少させる。
【００１９】
感圧接着剤３４は、さまざまなパネル組立品に適用してもよい。図３Ｄと３Ｅは、本考案の更にもう一つの実施形態に係るタッチパネルを示す断面図である。図３Ｄに示すように、本考案は、他のパネル貼合構造を提案している。飛散防止フィルム３３がパネル組立品に必要とされない場合、感圧接着剤３４を用いてタッチパネル３１と保護パネル３７を直接貼合してもよい。図３Ｅに示すように、感圧接着剤３４を用いてタッチパネル３１と保護パネル３７を直接貼合した後、感圧接着剤３８を更に用いてタッチパネル３１と表示パネル３２を直接貼合する。或いは、感圧接着剤３８を更に用いてタッチパネル３１と表示パネル３２を直接貼合した後、感圧接着剤３４を用いてタッチパネル３１と保護パネル３７を直接貼合する。異なる順序でパネルを貼合しても、図３Ｅに示すパネル組立品を得ることができる。
【００２０】
図４は、本考案の別の実施形態に係るパネル組立品を示す断面図である。図４に示すように、飛散防止フィルム３３の第一表面４１は、光学透明接着剤４０を含まないので、タッチパネル３１と表示パネル３２を貼合する前に、光学透明接着剤４０がタッチパネル３１の下方に塗布されると共に、感圧接着剤３４が飛散防止フィルム３３の第二表面４２（又は表示パネル３２の第三表面４３）に接着される。これにより、飛散防止フィルム３３の第二表面４２を表示パネル３２に貼合する。更に、光学透明接着剤４０により、飛散防止フィルム３３の第一表面４１をタッチパネル３１の下方に貼合する。
【００２１】
図５は、本考案のさらに別の実施形態に係るパネル組立品を示す断面図である。図５に示すように、飛散防止フィルム３３は、プラスチック基板５１及び光学透明樹脂４０を含む。プラスチック基板５１は、第四表面４４を有し、光学透明樹脂４０は、第四表面４４に配置される。 実際に応用する場合、ユーザーは、飛散防止フィルム３３を購入し利用してもよい。そうして、光学透明樹脂４０がタッチパネル３１の下方に塗布される必要がなく、タッチパネル３１の下方に光学透明樹脂４０を有する飛散防止フィルム３３を付着するだけで十分である。また、感圧接着剤３４は、表示パネル３２の第三表面４３に付着することによって、表示パネル３２は、飛散防止フィルム３３を介してタッチパネル３１に取り付けることができる。
【００２２】
図６と図７は、本考案のさまざまな実施形態に係るパネル組立品の機能性フィルムを示す断面図である。図６に示すように、機能性フィルム６０は、プラスチック基板６１を含み、プラスチック基板６１は、第五表面６２及び第六表面６３を有する。感圧接着剤６４は、第五表面６２に付着する。感圧接着剤６４は、剥離フィルム６５に更に付着する。第六表面６３には、保護フィルム６６が貼合される。そのため、プラスチック基板６１の一面に付着する感圧接着剤６４を有する機能性フィルム６０が形成されている。図７に示すように、機能性フィルム７０は、機能性フィルム６０を変更するものである。機能性フィルム６０と機能性フィルム７０との異なる点は、第六表面６３が別の感圧接着剤６７に貼合され、感圧接着剤６７が保護フィルム６８に貼合される。そのため、プラスチック基板６１の両面に感圧接着剤６４と６７を有する機能性フィルム７０が形成されている。機能性フィルム７０は、タッチパネル３１と表示パネル３２との間に取り付けられ、飛散防止機能を有する機能性フィルムとして使用できる。
【００２３】
図８に示すように、パネル組立品８０は、表示パネル３２に取り付けられる機能性フィルム６０（図６参照）から形成されている。機能性フィルム６０にある剥離フィルム６５は、表示パネル３２に付着される前に剥離される。保護フィルム６６を有するプラスチック基板６１は、感圧接着剤６４を介して表示パネル３２の上側に取り付けられている。機能性フィルム６０は、パネルの表面に取り付けられる偏光板、反射防止フィルム（ＡＲフィルム）、またはアンチグレアフィルム（ＡＧフィルム）から選択されることができる。プラスチック基板６１の材料は、ポリエステル（ＰＥＴ）であれば、機能性フィルム６０は、ＡＲフィルム又はＡＧフィルムである。プラスチック基板６１の材料は、環状オレフィンポリマー（ＣＯＰ）であれば、機能性フィルム６０は、光学フィルムである。
【００２４】
図９に示すように、パネル組立品９０は、表示パネル３２の上側と下側に取り付けられる二つの機能性フィルム６０（図６参照）から形成されている。二つの機能性フィルム６０にある剥離フィルム６５は、予め剥離する。保護フィルム６６を有する二つのプラスチック基板６１は、感圧接着剤６４を介して表示パネル３２の下側に取り付けられている。プラスチック基板６１の材料は、トリアセチルセルロース（ＴＡＣ）であれば、機能性フィルム６０は、偏光子である。
【００２５】
以上の説明によると、当業者であれば本考案の技術思想を逸脱しない範囲で、多様な変更及び修正が可能であることが分かる。従って、本考案の技術的な範囲は、明細書の詳細な説明に記載された内容に限らず、実用新案登録請求の範囲によって定めなければならない。
【００２６】
実施例
１、パネル組立品は、タッチパネルと、第一表面と前記第一表面に対向する第二表面とを有する飛散防止フィルムであって、前記第一表面が前記タッチパネルの下方に取り付けられる前記飛散防止フィルムと、第三表面を有する表示パネルと、前記第二表面又は前記第三表面に配置される感圧接着剤であって、前記表示パネルが感圧接着剤を介して前記第二表面に取り付けられる前記感圧接着剤と、を含む。
【００２７】
２、実施例１に記載のパネル組立品において、前記感圧接着剤は、ポリウレタン、シリコーン、アクリル及びそれらの組み合わせからなる群から選択される材料を有する。
【００２８】
３、実施例１に記載のパネル組立品において、前記タッチ装置は、前記第一表面に配置される光学透明接着剤（ＯＣＡ）を更に含む。
【００２９】
４、実施例１に記載のパネル組立品において、前記飛散防止フィルムは、第四表面を有するプラスチック基板と、前記第四表面に配置される光学透明接着剤（ＯＣＡ）と、を含む。
【００３０】
５、パネル組立品は、タッチパネルと、表示パネルと、前記タッチパネル及び前記表示パネルに取り付けられる第一接着剤層と、第一表面及び第二表面を有する機能性フィルムであって、前記第一表面及び前記第二表面は、それぞれ前記タッチパネル及び前記表示パネルに取り付けられる前記機能性フィルムと、を含む。
【００３１】
６、実施例５に記載のパネル組立品において、前記第一表面は、第一接着剤層を介して前記タッチパネルに取り付けられる。
【００３２】
７、実施例５〜６に記載のパネル組立品において、前記第一接着剤層は、感圧接着剤、光学透明接着剤、光学透明樹脂及びそれらの組み合わせからなる群から選択される。
【００３３】
８、実施例５〜７に記載のパネル組立品において、前記機能性フィルムは、飛散防止フィルムである。
【００３４】
９、実施例５〜８に記載の貼合材において、前記第二表面は、第二接着剤層を介して前記表示パネルに取り付けられる。
【００３５】
１０、パネル組立品は、第一パネルと、第二パネルと、前記第一パネル及び前記第二パネルに取り付けられる第一感圧接着剤と、を含む。
【００３６】
１１、実施例１０に記載のパネル組立品において、前記第一パネルはタッチパネルである時、前記第二パネルは表示パネル又は保護パネルである。
【００３７】
１２、実施例１０に記載のパネル組立品において、第三パネルと、前記第二パネル及び前記第三パネルに取り付けられる第二感圧接着剤と、を更に含み、前記第一パネルは、表示パネルであり、前記第二パネルは、タッチパネルであり、前記第三パネルは、保護パネルである。
【００３８】
１３、機能性フィルムは、第一表面と前記第一表面に対向する第二表面とを有する基板と、第一接着強度を有し、前記第一表面に取り付けられる第一感圧接着剤と、を含む。
【００３９】
１４、実施例１３に記載の機能性フィルムにおいて、前記機能性フィルムは、第二接着強度を有し、前記第二表面に取り付けられる第二感圧接着剤を更に含み、前記第一接着強度と前記第二接着強度が異なる。
【００４０】
１５、実施例１３に記載の機能性フィルムにおいて、前記基板は、ポリエステル（ＰＥＴ）、トリアセチルセルロース（ＴＡＣ）、環状オレフィンポリマー（ＣＯＰ）及びそれらの組み合わせからなる群から選択される一つの材料を有する。
【符号の説明】
【００４１】
１１、３１：タッチパネル
１２、３２：表示パネル
１３：シール構造
１４：空気層
３３、３５：飛散防止フィルム
３４、３６、３８、６４、６７：感圧接着剤
３７：保護パネル
４０：光学透明接着剤（光学透明樹脂）
４１：第一表面
４２：第二表面
４３：第三表面
４４：第四表面
５１、６１：プラスチック基板
６０、７０：機能性フィルム
６２：第五表面
６３：第六表面
６５：剥離フィルム
６６：保護フィルム
８０、９０：パネル組立品
【図１】
0003197676.tif 000004
【図２】
0003197676.tif 000005
【図３Ａ】
0003197676.tif 000006
【図３Ｂ】
0003197676.tif 000007
【図３Ｃ】
0003197676.tif 000008
【図３Ｄ】
0003197676.tif 000009
【図３Ｅ】
0003197676.tif 000010
【図４】
0003197676.tif 000011
【図５】
0003197676.tif 000012
【図６】
0003197676.tif 000013
【図７】
0003197676.tif 000014
【図８】
0003197676.tif 000015
【図９】
0003197676.tif 000016